(57)【特許請求の範囲】
【請求項１】
固定体及び可動体を備え、外壁の壁面に取り付けられるリード係留装置であって、
前記固定体は、一方の面が前記壁面に当接した状態で固定手段によって前記壁面に固定される固定板と、前記固定板の他方の面に取り付けられ軸方向が上下方向に延在する筒状の軸受部と、前記固定板から略水平方向に突出する突出片と、を有し、
前記可動体は、前記固定体の前記軸受部に上下方向にスライド自在に保持される主軸と、前記主軸から略水平方向乃至斜め下方向に延在しかつ下方に垂下するように形成されるフックと、を有し、
前記可動体に自重のみが作用して前記固定体によって支持されている状態において、前記固定体の前記突出片の高さが前記可動体の前記フックの先端の高さに略一致し、前記フックの先端が前記突出片に対向するように構成される、リード係留装置。
【請求項２】
前記固定体の前記突出片の外縁形状は、前記可動体が回動する際の前記フック先端の軌跡に対応した円弧状に形成されている、
請求項１に記載のリード係留装置。
【請求項３】
前記可動体の前記フックは、リードを介して水平外側方向への引張力が作用した場合に弾性変形するように構成される、
請求項１又は２に記載のリード係留装置。
【請求項４】
前記可動体の前記フックの先端には、前記主軸方向に屈曲した屈曲部が設けられており、
前記フックに作用する前記引張力が、前記外壁の強度に応じて決定された所定の力を超える場合に、前記屈曲部の先端側が根元側よりも前記リードの引張方向に先行して動くことにより、前記屈曲部から前記リードが外れるよう構成される、
請求項３に記載のリード係留装置。
【発明の詳細な説明】
【技術分野】
【０００１】
本発明は、リード係留装置に関する。
【背景技術】
【０００２】
現在、犬等の愛玩動物を店舗等に一時的に係留しておくために、愛玩動物に取り付けたリードを引っ掛けるように構成された鉤状のリード係留フックが提案されている（例えば、特許文献１及び２参照）。
【０００３】
しかし、特許文献１及び２に記載されたような鉤状のリード係留フックは、何れも戸建住宅に設置されることが想定されており、共同住宅のように廊下に沿って玄関ドアが並び、愛玩動物同伴で出入りする際に愛玩動物を一時的に係留する場合が想定されていないものと推察される。このような従来のリード係留フックは、鉤状のフックが壁面から突出するため、共同住宅の狭い廊下での人の擦れ違いに対して何れも引っ掛かり事故を起こし易い形状であり、引っ掛かった場合に力をいなして被害を抑える工夫もされていないものである。
【０００４】
そこで、近年においては、上記問題を解決するために、人や物が衝突した際の衝撃を緩衝し得る回動機構を備えたリード係留装置が提案されている（例えば、特許文献３参照）。
【先行技術文献】
【特許文献】
【０００５】
【特許文献１】実用新案登録第３１２６４４３号公報
【特許文献２】実用新案登録第３１６６６９２号公報
【特許文献３】特開２０１１−１２５２２６号公報
【発明の概要】
【発明が解決しようとする課題】
【０００６】
ところが、特許文献３に記載されたリード係留装置を採用しても、例えば衣服が上から覆いかぶさって引っ掛かった場合には、衣服が引っ掛かったまま回動して外れないこともあり、引っ掛かった状態が解除されるとは限らないという問題が残る。
【０００７】
本発明は、かかる事情に鑑みてなされたものであり、共同住宅の廊下等に設置した場合においても通行を妨げることがなく、仮に通行人が衝突しても引っ掛かり事故を発生させることがないリード係留装置を提供することを目的とする。
【課題を解決するための手段】
【０００８】
前記目的を達成するため、本発明に係るリード係留装置は、固定体及び可動体を備え、外壁の壁面に取り付けられるものであり、固定体は、一方の面が壁面に当接した状態で固定手段によって壁面に固定される固定板と、固定板の他方の面に取り付けられ軸方向が上下方向に延在する筒状の軸受部と、固定板から略水平方向に突出する突出片と、を有し、可動体は、固定体の軸受部に上下方向にスライド自在に保持される主軸と、主軸の上端から略水平方向乃至斜め下方向に延在しかつ下方に垂下するように形成されるフックと、を有し、可動体に自重のみが作用して固定体によって支持されている状態において、固定体の突出片の高さが可動体のフックの先端の高さに略一致するように構成されるものである。
【０００９】
かかる構成を採用すると、可動体に自重のみが作用して固定体によって支持されている状態において、可動体のフックの先端を固定体の突出片に常に対向させることができる。従って、可動体のフックの先端が下方に突出するのを防ぐことができるので、フックに衣服等が引っ掛かることを防止することができる。
【００１０】
本発明に係るリード係留装置において、固定体の突出片の外縁形状を、可動体が回動する際のフック先端の軌跡に対応した円弧状に形成することが好ましい。
【００１１】
かかる構成を採用すると、固定体の突出片の外縁形状が円弧状に形成されているため、突出片に衣服等が引っ掛かることを防止することができる。
【００１２】
また、本発明に係るリード係留装置において、可動体のフックは、リードを介して水平外側方向への引張力が作用した場合に弾性変形するように構成されることが好ましい。
【００１３】
かかる構成を採用すると、大型犬や人間の悪戯等によってリードを介してフックに瞬発的に大きな引張力が作用した場合においても、フックが弾性変形することにより、大きな力が壁面に直接的に作用することを防ぐことができ、安定した固定状態を保つことができる。
【００１４】
また、本発明に係るリード係留装置において、可動体のフックの先端に、主軸方向に屈曲した屈曲部を設けることができる。そして、フックに作用する引張力が、外壁の強度に応じて決定された所定の力を超える場合に、屈曲部の先端側が根元側よりもリードの引張方向に先行して動くことにより、屈曲部からリードが外れるよう構成することができる。
【００１５】
かかる構成を採用すると、フックに作用する引張力が所定の力を超える場合に屈曲部からリードが外れるので、外壁が破壊されることを防ぐことができる。
【発明の効果】
【００１６】
本発明によれば、共同住宅の廊下等に設置した場合においても通行を妨げることがなく、仮に通行人が衝突しても引っ掛かり事故を発生させることがないリード係留装置を提供することができる。
【図面の簡単な説明】
【００１７】
【図１】本発明の第一実施形態に係るリード係留装置の斜視図である。
【図２】図１に示すリード係留装置の使用方法を説明するための説明図である。
【図３】同上
【図４】同上
【図５】同上
【図６】図１に示すリード係留装置のフックに水平外側方向が作用した場合の変形状態を説明するための説明図である。
【図７】本発明の第二実施形態に係るリード係留装置の斜視図である。
【図８】本発明の第三実施形態に係るリード係留装置の正面図である。
【図９】図８に示すリード係留装置の側面図である。
【図１０】図８に示すリード係留装置の底面図である。
【図１１】本発明の第三実施形態に係るリード係留装置の変形例の側面図である。
【図１２】本発明の第三実施形態に係るリード係留装置の変形例の底面図である。
【発明を実施するための形態】
【００１８】
以下、図面を参照して、本発明の実施形態について説明する。なお、以下の各実施形態はあくまでも好適な適用例であって、本発明の適用範囲がこれに限定されるものではない。
【００１９】
＜第一実施形態＞
まず、図１〜図６を用いて、本発明の第一実施形態に係るリード係留装置１について説明する。
【００２０】
最初に、図１、図２、図６等を用いて、本実施形態に係るリード係留装置１の構成について説明する。リード係留装置１は、共同住宅の外壁Ｗの壁面ＷFに固定される固定体１０と、固定体１０に対してスライド可能に取り付けられる可動体２０と、を備えている。
【００２１】
固定体１０は、図１に示すように、一方の面１１ａが壁面ＷFに当接した状態で固定手段によって壁面ＷFに固定される固定板１１と、固定板１１の他方の面１１ｂに取り付けられ軸方向が上下方向に延在する筒状の軸受部１２と、固定板１１から略水平方向に突出する突出片１３と、を有している。
【００２２】
固定板１１を壁面ＷFに固定するための固定手段としては、皿ビスや木ネジ等を採用することができ、固定板１１にはこのような固定手段を螺入するための貫通孔１１ｃや座繰り部１１ｄが設けられている。なお、外壁Ｗがコンクリートで構成される場合においても、フィッシャープラグを採用することにより、固定板１１を木ネジで後付けすることができる。
【００２３】
軸受部１１の内径は、後述する主軸２１の外径とほぼ等しい値に設定されており、主軸２１を上下方向にスライド自在に保持することができるようになっている。本実施形態においては、円筒状の軸受部１１を採用しているが、可動体２０の主軸２１を上下方向にスライド自在に保持することができるような構成であれば、軸受部１１の構成や形状はこれに限られるものではない。
【００２４】
突出片１３は、図１に示すように、固定板１１の下端部に連接されている。突出片１３全体の平面形状は半円形状とされており、突出片１３の外縁形状は、可動体２０が回動する際のフック２２先端の軌跡に対応した円弧状に形成されている。
【００２５】
可動体２０は、図１に示すように、固定体１０の軸受部１２に上下方向にスライド自在に保持される主軸２１と、主軸２１の上端から略水平方向に延在しかつ下方に垂下するように形成されるフック２２と、を有している。
【００２６】
主軸２１は円柱状に構成されており、その外径は、固定体１０の軸受部１１の内径とほぼ等しい値に設定されている。主軸２１の下端部には、可動体２０が上方にスライドした際に固定体１０の軸受部１１から主軸２１が抜脱するのを防ぐための円形板２１ａが取り付けられている。円形板２１ａの直径は、固定体１０の軸受部１１の内径よりも大きい値に設定されている。
【００２７】
フック２２は、主軸２１の上端から略水平方向に延在する水平部２２ａと、水平部２２ａの先端から下方に垂下するように形成される垂下部２２ｂと、垂下部２２ｂの先端から主軸２１方向（外壁Ｗ側の方向）に屈曲した屈曲部２２ｃと、を有している。図２に示すように、可動体２０に自重のみが作用して固定体１０によって支持されている状態において、固定体１０の突出片１３の高さＨPが、可動体２０のフック２２の先端（屈曲部２２ｃ）の高さＨFに略一致するように構成されている。
【００２８】
フック２２は、図６に示すように、リードＬを介して水平外側方向への引張力ＦHが作用した場合に弾性変形するように構成されている。本実施形態においては、引張力ＦHが外壁Ｗの強度に応じて決定された所定の力（外壁Ｗの破壊強度よりも小さい力）を超える場合に、フック２２が弾性変形し、屈曲部２３の先端側が根元側よりもリードＬの引張方向に先行して動くことにより、屈曲部２３からリードＬが外れるよう構成されている。なお、固定手段の固定強度が外壁Ｗの破壊強度よりも小さい場合には、引張力ＦHが固定手段の固定強度よりも小さい所定の力を超える場合に、フック２２が弾性変形することが好ましい。
【００２９】
次に、図２〜図６を用いて、本実施形態に係るリード係留装置１の使用方法について説明する。
【００３０】
まず、使用者は、図２に示すようにリード係留装置１の可動体２０のフック２２の下方にリードＬを配置し、図３に示すようにフック２２の屈曲部２２ｃの下面にリードＬを押し当ててフック２２に上向きの力ＦVを加えることにより、可動体２０全体を上方にスライドさせる。このような可動体２０のスライド動作により、図３に示すように、固定体１０の突出片１３と可動体２０のフック２２との間にリードＬを挿入可能な間隙が形成される。
【００３１】
次いで、使用者は、固定体１０の突出片１３と可動体２０のフック２２との間に形成された間隙にリードＬを挿入し、図４に示すようにリードＬを固定体１０の突出片１３の上面１３ａに載置する。このようなリードＬの挿入動作により、フック２２に加えられていた上向きの力ＦVがなくなると、図５に示すように可動体２０は自重（重力ＦG）により下方に落下して固定体１０によって支持されることとなる。この状態においては、図２に示すように、固定体１０の突出片１３の高さＨPが、可動体２０のフック２２の屈曲部２２ｃの高さＨFに略一致するため、リードＬは、固定体１０の突出片１３と可動体２０のフック２２との間に閉じ込められた状態（係留状態）となる。
【００３２】
そして、図５に示すような係留状態において、リードＬを介してフック２２に水平外側方向への引張力ＦHが作用し、この引張力ＦHが所定の力を超えた場合には、図６に示すようにフック２２が弾性変形し、屈曲部２３の先端側が根元側よりもリードＬの引張方向に先行して動くことにより、屈曲部２３からリードＬが外れることとなる。
【００３３】
以上説明した実施形態に係るリード係留装置１においては、可動体２０に自重のみが作用して固定体１０により支持されている状態において、可動体２０のフック２２の先端を固定体１０の突出片１３に常に対向させることができる。従って、可動体２０のフック２２の先端が下方に突出するのを防ぐことができるので、フック２２に衣服等が引っ掛かることを防止することができる。
【００３４】
また、以上説明した実施形態に係るリード係留装置１においては、固定体１０の突出片１３の外縁形状を、可動体２０が回動する際のフック２２の先端の軌跡に対応した円弧状に形成しているため、突出片１３に衣服等が引っ掛かることを防止することができる。
【００３５】
また、以上説明した実施形態に係るリード係留装置１においては、可動体２０のフック２２が、リードＬを介して水平外側方向への引張力ＦHが作用した場合に弾性変形するように構成されている。このため、大型犬や人間の悪戯等によってリードＬを介してフック２２に瞬発的に大きな引張力ＦHが作用した場合においても、フック２２が弾性変形することにより、大きな力が壁面ＷFに直接的に作用することを防ぐことができ、安定した固定状態を保つことができる。
【００３６】
また、以上説明した実施形態に係るリード係留装置１においては、可動体２０のフック２２の先端に屈曲部２２ｃを設けており、フック２２に作用する引張力ＦHが、外壁Ｗの強度に応じて決定された所定の力を超える場合に、屈曲部２２ｃの先端側が根元側よりもリードＬの引張方向に先行して動くことにより、屈曲部２２ｃからリードＬが外れるよう構成されている。従って、外壁Ｗが破壊されることを防ぐことができる。
【００３７】
＜第二実施形態＞
次に、図７を用いて、本発明の第二実施形態について説明する。本実施形態に係るリード係留装置２は、第一実施形態に係るリード係留装置１のフック２２の形状を変更したものであり、その他の構成については第一実施形態と実質的に同一である。従って、第一実施形態と共通する構成については、同一の符合を付して詳細な説明を省略することとする。
【００３８】
本実施形態に係るリード係留装置２は、固定体１０と、固定体１０に対してスライド可能に取り付けられる可動体２０Ａと、を備えている。固定体１０は、第一実施形態で説明したものと実質的に同一である。
【００３９】
可動体２０Ａは、図７に示すように、固定体１０の軸受部１２に上下方向にスライド自在に保持される主軸２１と、主軸２１の上端から斜め下方向に延在しかつ下方に垂下するように形成されるフック２２Ａと、を有している。主軸２１は、第一実施形態で説明したものと実質的に同一である。
【００４０】
フック２２Ａは、主軸２１の上端から斜め下方向に延在する斜下部２２Ａａと、斜下部２２Ａａの先端に滑らかに連接されて下方に垂下するように形成される垂下部２２Ａｂと、垂下部２２Ａｂの先端から主軸２１方向に屈曲した屈曲部２２Ａｃと、を有している。可動体２０Ａに自重のみが作用して固定体１０によって支持されている状態においては、固定体１０の突出片１３の高さが、可動体２０Ａのフック２２Ａの先端（屈曲部２２Ａｃ）の高さに略一致するように構成されている。また、フック２２Ａは、第一実施形態と同様に、リードを介して水平外側方向への引張力が作用した場合に弾性変形するように構成されている。
【００４１】
以上説明した実施形態に係るリード係留装置２を採用した場合においても、第一実施形態に係るリード係留装置１と同様の作用効果を奏することができる。
【００４２】
＜第三実施形態＞
次に、図８〜図１０を用いて、本発明の第三実施形態について説明する。本実施形態に係るリード係留装置３は、第一実施形態に係るリード係留装置１のフック２２の形状を変更したものであり、その他の構成については第一実施形態と実質的に同一である。従って、第一実施形態と共通する構成については、同一の符合を付して詳細な説明を省略することとする。
【００４３】
本実施形態に係るリード係留装置３は、固定体１０と、固定体１０に対してスライド可能に取り付けられる可動体２０Ｂと、を備えている。固定体１０は、第一実施形態で説明したものと実質的に同一である。
【００４４】
可動体２０Ｂは、図８及び図９に示すように、固定体１０の軸受部１２に上下方向にスライド自在に保持される主軸２１と、主軸２１の上端から斜め下方向に延在しかつ下方に垂下するように形成されるフック２２Ｂと、を有している。主軸２１は、第一実施形態で説明したものと実質的に同一である。
【００４５】
フック２２Ｂは、主軸２１の上端から略水平方向に延在する水平部２２Ｂａと、水平部２２Ｂａの先端に滑らかに連接されて下方に垂下するように形成される垂下部２２Ｂｂと、を有している。可動体２０Ｂに自重のみが作用して固定体１０によって支持されている状態においては、固定体１０の突出片１３の高さが、可動体２０Ｂのフック２２Ｂの先端（垂下部２２Ｂｂの先端）の高さに略一致するように構成されている。
【００４６】
以上説明した実施形態に係るリード係留装置３を採用した場合においても、第一実施形態に係るリード係留装置１と同様の作用効果を奏することができる。
【００４７】
なお、以上の各実施形態においては、固定体１０の突出片１３の平面形状を半円形状とした例（突出片１３の外縁形状を円弧状に形成した例：図１、図７、図１０）を示したが、突出片の平面形状（外縁形状）はこれに限られるものではない。
【００４８】
例えば、図１１に示すように、第三実施形態に係るリード係留装置３のフック２２Ｂの垂下部２２Ｂｂの長さを若干短くした場合には、フック２２Ｂと突出片１３との干渉がなくなり、フック２２Ｂが突出片１３の上方を回動することができるようになる。このような場合には、図１２に示すような面積の広い矩形状の突出片１３Ｃを採用することもできる。なお、この際には、フック２２Ｂの先端と突出片１３Ｃとの間に形成される間隙の寸法をリードＬの径よりも小さい値に設定して、リードＬの抜脱を防止する必要がある。また、衣服の引っ掛かりを防止するために突出片１３Ｃの角部を丸くすることが好ましい。
【００４９】
本発明は、以上の各実施形態に限定されるものではなく、これら実施形態に当業者が適宜設計変更を加えたものも、本発明の特徴を備えている限り、本発明の範囲に包含される。すなわち、前記各実施形態が備える各要素及びその配置、材料、条件、形状、サイズ等は、例示したものに限定されるわけではなく適宜変更することができる。また、前記各実施形態が備える各要素は、技術的に可能な限りにおいて組み合わせることができ、これらを組み合わせたものも本発明の特徴を含む限り本発明の範囲に包含される。
【産業上の利用可能性】
【００５０】
本発明に係るリード係留装置は、フィッシャープラグを含む固定手段を採用することにより、後付が可能になる。よって、単なる共同住宅を「ペット可物件」にリフォームするのが容易になる。
【符号の説明】
【００５１】
１・２・３…リード係留装置
１０…固定体
１１…固定板
１１ａ…一方の面
１１ｂ…他方の面
１２…軸受部
１３・１３Ｃ…突出片
２０・２０Ａ・２０Ｂ…可動体
２１…主軸
２２・２２Ａ・２２Ｂ…フック
２２ｃ・２２Ａｃ…屈曲部
Ｌ…リード
Ｗ…外壁
ＷF…壁面
【図１】
0005844604.tif 000002
【図２】
0005844604.tif 000003
【図３】
0005844604.tif 000004
【図４】
0005844604.tif 000005
【図５】
0005844604.tif 000006
【図６】
0005844604.tif 000007
【図７】
0005844604.tif 000008
【図８】
0005844604.tif 000009
【図９】
0005844604.tif 000010
【図１０】
0005844604.tif 000011
【図１１】
0005844604.tif 000012
【図１２】
0005844604.tif 000013